(57)【特許請求の範囲】
【請求項１】
内部空間を備えた熱融着性の樹脂材の弁取付け箇所に、前記内部空間と外部空間とを連通する開閉可能な流路を備えた熱融着性のフィルム弁が熱融着により固着されている弁構造であって、
前記フィルム弁には、重ね合わされた状態での密着によって前記流路を閉塞する自己粘着性のある柔軟な一対の弁構成フィルムが備えられ、
前記両弁構成フィルムの対向面における前記流路の形成相当箇所の少なくとも一方の対向面部分の少なくとも熱融着相当部位には、前記両弁構成フィルム同士の熱融着を阻止する熱融着阻害層が形成され、
前記樹脂材の弁取付け箇所の対向面間には、前記熱融着阻害層を形成してある前記両弁構成フィルムが重合配置され、この重合配置状態にある前記樹脂材の弁取付け箇所と前記両弁構成フィルムとの対向面同士、及び、前記両弁構成フィルムの対向面同士は、前記流路の流路軸線方向の複数個所を通過する状態で前記両弁構成フィルムを横断し、且つ、前記両弁構成フィルムの対向面間における前記流路以外の残余空間部と前記内部空間との間、及び、前記残余空間部と前記外部空間との間を封止状態で区画する複数の熱融着部にて固着されることにより、前記両弁構成フィルムが、前記流路における前記複数の熱融着部の横断相当箇所の非熱融着部分を流路口とする前記フィルム弁に構成され、さらに、前記両弁構成フィルム間における前記複数の熱融着部間に形成される前記残余空間部と前記流路とが連通形成されている弁構造。
【請求項２】
前記両弁構成フィルム間の流路幅方向の複数箇所には、前記流路及び前記残余空間部が形成され、前記複数の流路が前記残余空間部を経由して連通形成されている請求項１記載の弁構造。
【請求項３】
前記熱融着阻害層の表面が弱粘着性に構成されている請求項１又は２記載の弁構造。
【請求項４】
重ね合わされた熱融着性の主フィルムの対向面間に、被収納物を収納する内部空間と当該内部空間に対して前記被収納物を出し入れするための開閉可能な出入口部とが形成されているとともに、
前記両主フィルム間の前記内部空間の周縁部における前記出入口部以外の弁取付け箇所に、前記内部空間と外部空間とを連通する排気用の開閉可能な流路を備えた熱融着性のフィルム弁が、熱融着により固着されている収納袋であって、
前記フィルム弁には、重ね合わされた状態での密着によって前記流路を閉塞する自己粘着性のある柔軟な一対の弁構成フィルムが備えられ、
前記両弁構成フィルムの対向面における前記流路の形成相当箇所の少なくとも一方の対向面部分の少なくとも熱融着相当部位には、前記両弁構成フィルム同士の熱融着を阻止する熱融着阻害層が形成され、
前記主フィルムの弁取付け箇所の対向面間には、前記熱融着阻害層を形成してある前記両弁構成フィルムが重合配置され、この重合配置状態にある前記主フィルムの弁取付け箇所と前記両弁構成フィルムとの対向面同士、及び、前記両弁構成フィルムの対向面同士は、前記流路の流路軸線方向の複数個所を通過する状態で前記両弁構成フィルムを横断し、且つ、前記両弁構成フィルムの対向面間における前記流路以外の残余空間部と前記内部空間との間、及び、前記残余空間部と前記外部空間との間を封止状態で区画する複数の熱融着部にて固着されることにより、前記両弁構成フィルムが、前記流路における前記複数の熱融着部の横断相当箇所の非熱融着部分を流路口とする前記フィルム弁に構成され、さらに、前記両弁構成フィルム間における前記複数の熱融着部間に形成される前記残余空間部と前記流路とが連通形成されている収納袋。
【請求項５】
前記流路における流出口側部位が、流路幅方向で複数の分割流路部分に分岐形成されている請求項４記載の収納袋。
【請求項６】
前記複数の分割流路部分における合計の開口面積が、前記流路における流入口側部位の開口面積と略同一又はそれよりも大に構成されている請求項５記載の収納袋。
【請求項７】
前記両弁構成フィルムにおける前記内部空間に臨む内側端縁部が、前記内部空間側に最も近接位置する前記熱融着部よりも前記内部空間側に突出配置されているとともに、前記内部空間側に最も近接位置する前記熱融着部の複数箇所には、前記内部空間側にのみ開口する非熱融着部が形成されている請求項４〜６のいずれか１項に記載の収納袋。
【請求項８】
前記両弁構成フィルム間の流路幅方向に沿った複数箇所には、前記流路及び前記残余空間部が形成され、前記複数の流路が前記残余空間部を経由して連通形成されている請求項４〜７のいずれか１項に記載の収納袋。
【請求項９】
請求項４〜８のいずれか１項に記載の収納袋に用いられる前記フィルム弁であって、
前記両弁構成フィルム間の流路幅方向の複数箇所には、前記流路及び前記残余空間部が形成され、
前記両弁構成フィルムの少なくとも一方の対向面における前記各流路の形成相当箇所の全域には、前記両弁構成フィルム同士の熱融着を阻止する熱融着阻害層が形成され、
前記両弁構成フィルムの対向面同士は、前記各流路の流路軸線方向の複数個所を通過する状態で前記両弁構成フィルムを横断し、且つ、前記両弁構成フィルム間における前記複数の流路以外の残余空間部を気密状態で区画する複数の熱融着部にて固着され、前記各流路における前記熱融着部の横断相当箇所の非熱融着部分が流路口に構成され、前記複数の流路は、前記残余空間部を経由して連通形成されているフィルム弁。
【発明の詳細な説明】
【技術分野】
【０００１】
本発明は、内部空間を備えた熱融着性の樹脂材の弁取付け箇所に、前記内部空間と外部空間とを連通する開閉可能な流路を備えた熱融着性のフィルム弁が熱融着により固着されている弁構造と収納袋及びフィルム弁に関する。
【背景技術】
【０００２】
従来、弁構造としての脱気弁構造を備えた圧縮収納袋では、樹脂材の一例である重ね合わされた熱融着性の一対の袋構成用の主フィルムの対向面間に、被収納物を収納する内部空間と当該内部空間に対して被収納物を出し入れするための開閉可能な出入口部とが形成されている。
また、両主フィルム間の内部空間の周縁部における出入口部以外の弁取付け箇所には、内部空間と外部空間とを連通する排気用（脱気用）の開閉可能な複数の流路を形成してある熱融着性のフィルム弁が熱融着により固着されている（例えば、特許文献１参照）。
この特許文献１の場合では、圧縮収納袋の底辺部に、圧縮収納袋の底辺部の横幅と同じ長さを有するフィルム弁が熱融着により固着されているとともに、フィルム弁の長手方向の複数個所に流路が形成されている。
【０００３】
フィルム弁は、重ね合わされた状態での密着によって各流路を閉塞する自己粘着性のある柔軟な一対の弁構成フィルムから構成されている。
重ね合わされた両弁構成フィルムは、それの長手方向の複数箇所に配置される各流路の幅方向両側縁に沿って、両弁構成フィルム間における各流路と当該流路以外の残余空間部とを非通気状態に区画形成する第１熱融着部により一体的に固着されている。
【０００４】
そして、上述の弁製作作業工程で製作されたフィルム弁の両弁構成フィルムは、次の包袋作成作業工程において、一対の袋構成用の主フィルムの対向面間における弁取付け箇所に重合配置され、この重合配置状態にある両主フィルムと両弁構成フィルムとが、当該両弁構成フィルムの各流路における内部空間寄りの一個所を横断し、且つ、両弁構成フィルム間における流路以外の残余空間部において両主フィルムの内部空間と外部空間との間を非通気状態に区画形成する一本の第２熱融着部により一体的に固着されている。
【０００５】
尚、両主フィルムと両弁構成フィルムとを一体化する包袋製作作業工程時において、両弁構成フィルム間の流路がそれを横断する第２熱融着部によって遮断されないように、両弁構成フィルムの対向面間における流路形成箇所には、両弁構成フィルム同士の熱融着を阻止するための熱融着阻害層を構成する耐熱性塗料が印刷されている。
【先行技術文献】
【特許文献】
【０００６】
【特許文献１】特許第４７９２０３５号公報
【発明の概要】
【発明が解決しようとする課題】
【０００７】
従来の圧縮収納袋では、先ず、両弁構成フィルムの長手方向の複数箇所に配置される各流路の幅方向両側縁に沿う第１熱融着部により、両弁構成フィルム間における各流路と当該流路以外の残余空間部とを非通気状態で区画形成すると同時に、両弁構成フィルム同士を一体的に固着する弁製作作業工程を実行する必要がある。
その後、製作されたフィルム弁の両弁構成フィルムを、一対の袋構成用の主フィルムの対向面間における弁取付け箇所に重合配置し、この重合配置状態にある両主フィルムとフィルム弁の両弁構成フィルムとを、各流路を横断する第２熱融着部により、両弁構成フィルム間における流路以外の残余空間部において両主フィルムの内部空間と外部空間との間を非通気状態に区画する状態で一体的に固着する包袋製作作業工程を実行する必要がある。
そのため、弁製作作業工程と包袋製作作業工程とを各別に行う必要があるため、作業工程数が多くて煩雑化し、生産性の低下と製作コストの高騰化とを招来する不都合がある。
【０００８】
また、フィルム弁の製作を考察すると、重ね合わされた両弁構成フィルムを、それの長手方向の複数箇所に配置される各流路の幅方向両側縁に沿って、両弁構成フィルム間における各流路と当該流路以外の残余空間部とを非通気状態に区画形成する熱融着部により一体的に固着する必要がある。しかも、流路における外部空間側の流路口の横幅が内部空間側の流路口の横幅よりも小に構成されている場合では、流路の幅方向両側縁の形状が湾曲して複雑化するため、ヒートシール装置も複雑化し、フィルム弁の生産性の低下と製作コストの高騰化とを招来する不都合がある。
【０００９】
この実情に鑑み、本発明の主たる課題は、合理的な熱融着処理により、生産性の向上と製作コストの低廉化とを図ることのできる弁構造と収納袋及びフィルム弁を提供する点にある。
【課題を解決するための手段】
【００１０】
本発明による第１の特徴構成は、内部空間を備えた熱融着性の樹脂材の弁取付け箇所に、前記内部空間と外部空間とを連通する開閉可能な流路を備えた熱融着性のフィルム弁が熱融着により固着されている弁構造であって、
前記フィルム弁には、重ね合わされた状態での密着によって前記流路を閉塞する自己粘着性のある柔軟な一対の弁構成フィルムが備えられ、
前記両弁構成フィルムの対向面における前記流路の形成相当箇所の少なくとも一方の対向面部分の少なくとも熱融着相当部位には、前記両弁構成フィルム同士の熱融着を阻止する熱融着阻害層が形成され、
前記樹脂材の弁取付け箇所の対向面間には、前記熱融着阻害層を形成してある前記両弁構成フィルムが重合配置され、この重合配置状態にある前記樹脂材の弁取付け箇所と前記両弁構成フィルムとの対向面同士、及び、前記両弁構成フィルムの対向面同士は、前記流路の流路軸線方向の複数個所を通過する状態で前記両弁構成フィルムを横断し、且つ、前記両弁構成フィルムの対向面間における前記流路以外の残余空間部と前記内部空間との間、及び、前記残余空間部と前記外部空間との間を封止状態で区画する複数の熱融着部にて固着されることにより、前記両弁構成フィルムが、前記流路における前記複数の熱融着部の横断相当箇所の非熱融着部分を流路口とする前記フィルム弁に構成され、さらに、前記両弁構成フィルム間における前記複数の熱融着部間に形成される前記残余空間部と前記流路とが連通形成されている点にある。
【００１１】
上記構成によれば、内部空間を備えた熱融着性の樹脂材の弁取付け箇所の対向面間に、流路を形成するための両弁構成フィルムを重合配置し、この重合配置状態にある樹脂材の弁取付け箇所の対向面と両弁構成フィルムとを、流路を横断する熱融着部により一体的に固着（接着）する。
このとき、両弁構成フィルムの対向面における流路形成相当箇所の少なくとも一方の対向面部分の少なくとも前記熱融着部に対応する部位には、両弁構成フィルム同士の熱融着を阻止する熱融着阻害層が形成されているので、流路を横断する熱融着部で流路自体が遮断されることはない。
【００１２】
それ故に、重合配置状態にある樹脂材の弁取付け箇所と両弁構成フィルムとを流路横断状態で熱融着するだけで、両弁構成フィルム間の流路以外の残余空間部において内部空間と外部空間との間を封止状態で区画することができると同時に、両弁構成フィルムを、流路における熱融着部の横断相当箇所を流路口とするフィルム弁として始めて機能させることができる。
そのため、例えば、樹脂材の内部空間内の流体又は外部空間側から供給される流体が、両弁構成フィルム間の流路の流路口を押し広げながら流入することになり、流路内の流体が外部空間又は内部空間に流出すると、両弁構成フィルムの対向面における流路形成部位が互いに密着して流路が閉塞される。
【００１３】
したがって、両弁構成フィルム単体では弁機能を発揮しないが、樹脂材の弁取付け箇所と両弁構成フィルムとを上述の如く重合配置して熱融着するだけで所定の弁機能を確実に発揮する弁構造を製作することができるから、従来の弁構造に比較して生産性の向上と製作コストの低廉化とを図ることができる。
【００１５】
さらに、重合配置状態にある樹脂材の弁取付け箇所と両弁構成フィルムとを流路横断状態の複数の熱融着部で固着するだけで、両弁構成フィルム間の流路以外の残余空間部において、残余空間部と内部空間との間及び残余空間部と外部空間との間を夫々封止状態で区画することができる。
そして、熱融着阻害層の存在により、両弁構成フィルム間の流路における複数の熱融着部に対応する横断部位のうち、内部空間に最も近接位置する熱融着部の横断部位の非熱融着部分が内方側の流路口になり、外部空間に最も近接位置する熱融着部の横断部位の非熱融着部分が外方側の流路口になるフィルム弁が構成される。
【００１６】
また、両弁構成フィルムの対向面の流路形成相当箇所における流路幅方向の両側縁部で、且つ、複数の熱融着部間に位置する両側縁部分は熱融着されていない非接着部分であり、この非接着部分において、複数の熱融着部間に位置する両弁構成フィルム間の残余空間部と流路とが連通状態にある。
そのため、例えば、樹脂材の内部空間内の流体又は外部空間側から供給される流体が、両弁構成フィルム間の流路の内方側又は外方側の流路口を押し広げながら流入し、流路内に流入した一部の流体は残余空間部内に流入するものの、流体の主流は流路の外方側又は内方側の流路口から外部空間又は内部空間に流出する。
そして、両弁構成フィルム間の流路内及び残余空間部内の流体が外部空間又は内部空間に流出すると、両弁構成フィルムの対向面における流路形成部位が互いに密着して流路が閉塞される。
本発明による第２の特徴構成は、前記第１の特徴構成を備えた弁構造において、前記両弁構成フィルム間の流路幅方向の複数箇所には、前記流路及び前記残余空間部が形成され、前記複数の流路が前記残余空間部を経由して連通形成されている点にある。
【００１７】
本発明による第３の特徴構成は、前記第１又は第２の特徴構成を備えた弁構造において、前記熱融着阻害層の表面が弱粘着性に構成されている点にある。
【００１８】
上記構成によれば、流路を横断する複数本の熱融着部で流路自体が遮断されることを熱融着阻害層で確実に防止しながらも、この熱融着阻害層の表面の弱粘着性により、フィルム弁としての開閉機能を維持しながら、熱融着阻害層の形成部位での両弁構成フィルムの密着性の低下を抑制して、フィルム弁の密閉性を高めることができる。
【００１９】
本発明による第４の特徴構成は、重ね合わされた熱融着性の主フィルムの対向面間に、被収納物を収納する内部空間と当該内部空間に対して前記被収納物を出し入れするための開閉可能な出入口部とが形成されているとともに、
前記両主フィルム間の前記内部空間の周縁部における前記出入口部以外の弁取付け箇所に、前記内部空間と外部空間とを連通する排気用の開閉可能な流路を備えた熱融着性のフィルム弁が、熱融着により固着されている収納袋であって、
前記フィルム弁には、重ね合わされた状態での密着によって前記流路を閉塞する自己粘着性のある柔軟な一対の弁構成フィルムが備えられ、
前記両弁構成フィルムの対向面における前記流路の形成相当箇所の少なくとも一方の対向面部分の少なくとも熱融着相当部位には、前記両弁構成フィルム同士の熱融着を阻止する熱融着阻害層が形成され、
前記主フィルムの弁取付け箇所の対向面間には、前記熱融着阻害層を形成してある前記両弁構成フィルムが重合配置され、この重合配置状態にある前記主フィルムの弁取付け箇所と前記両弁構成フィルムとの対向面同士、及び、前記両弁構成フィルムの対向面同士は、前記流路の流路軸線方向の複数個所を通過する状態で前記両弁構成フィルムを横断し、且つ、前記両弁構成フィルムの対向面間における前記流路以外の残余空間部と前記内部空間との間、及び、前記残余空間部と前記外部空間との間を封止状態で区画する複数の熱融着部にて固着されることにより、前記両弁構成フィルムが、前記流路における前記複数の熱融着部の横断相当箇所の非熱融着部分を流路口とする前記フィルム弁に構成され、さらに、前記両弁構成フィルム間における前記複数の熱融着部間に形成される前記残余空間部と前記流路とが連通形成されている点にある。
【００２０】
上記構成によれば、内部空間を備えた熱融着性の主フィルムの弁取付け箇所の対向面間に、流路を形成するための両弁構成フィルムを重合配置し、この重合配置状態にある主フィルムの弁取付け箇所の対向面と両弁構成フィルムとを、流路を横断する熱融着部により一体的に固着（接着）する。
このとき、両弁構成フィルムの対向面における流路形成相当箇所の少なくとも一方の対向面部分の少なくとも前記熱融着部に対応する部位には、両弁構成フィルム同士の熱融着を阻止する熱融着阻害層が形成されているので、流路を横断する熱融着部で流路自体が遮断されることはない。
それ故に、重合配置状態にある主フィルムの弁取付け箇所と両弁構成フィルムとを流路横断状態で熱融着するだけで、両弁構成フィルム間の流路以外の残余空間部において内部空間と外部空間との間を封止状態で区画することができると同時に、両弁構成フィルムを、流路における熱融着部の横断相当箇所を流路口とするフィルム弁として始めて機能させることができる。
そのため、例えば、主フィルムの内部空間内の流体又は外部空間側から供給される流体が、両弁構成フィルム間の流路の流路口を押し広げながら流入することになり、流路内の流体が外部空間又は内部空間に流出すると、両弁構成フィルムの対向面における流路形成部位が互いに密着して流路が閉塞される。
【００２１】
したがって、両弁構成フィルム単体では弁機能を発揮しないが、主フィルムの弁取付け箇所と両弁構成フィルムとを上述の如く重合配置して熱融着するだけで所定の弁機能を確実に発揮する弁構造を製作することができるから、従来の弁構造に比較して生産性の向上と製作コストの低廉化とを図ることができる。
【００２３】
さらに、重合配置状態にある主フィルムの弁取付け箇所と両弁構成フィルムとを流路横断状態の複数の熱融着部で固着するだけで、両弁構成フィルム間の流路以外の残余空間部において、残余空間部と内部空間との間及び残余空間部と外部空間との間を夫々封止状態で区画することができる。
そして、熱融着阻害層の存在により、両弁構成フィルム間の流路における複数の熱融着部に対応する横断部位のうち、内部空間に最も近接位置する熱融着部の横断部位の非熱融着部分が内方側の流路口になり、外部空間に最も近接位置する熱融着部の横断部位の非熱融着部分が外方側の流路口になるフィルム弁が構成される。
【００２４】
また、両弁構成フィルムの対向面の流路形成相当箇所における流路幅方向の両側縁部で、且つ、複数の熱融着部間に位置する両側縁部分は熱融着されていない非接着部分であり、この非接着部分において、複数の熱融着部間に位置する両弁構成フィルム間の残余空間部と流路とが連通状態にある。
そのため、例えば、主フィルムの内部空間内の流体又は外部空間側から供給される流体が、両弁構成フィルム間の流路の内方側又は外方側の流路口を押し広げながら流入し、流路内に流入した一部の流体は残余空間部内に流入するものの、流体の主流は流路の外方側又は内方側の流路口から外部空間又は内部空間に流出する。
そして、両弁構成フィルム間の流路内及び残余空間部内の流体が外部空間又は内部空間に流出すると、両弁構成フィルムの対向面における流路形成部位が互いに密着して流路が閉塞される。
【００２５】
本発明による第５の特徴構成は、前記第４の特徴構成を備えた収納袋において、前記流路における流出口側部位が、流路幅方向で複数の分割流路部分に分岐形成されている点にある。
【００２６】
収納袋において、例えば、流路の流入口側部位での開口面積（開口幅）と流路の流出口側部位での開口面積（開口幅）とを等しく構成すると、両主フィルム間の内部空間内の気体を外部空間に排出する際、内部空間から流路内に流入した気体を抵抗の少ない状態でスムーズに排出することができる。
反面、流路の流出口側部位が大きく開口するため、この大きく開口した流出口側部位が流路内の負圧によって瞬時に収縮する際、両弁構成フィルムの対向面の弱粘着力で流出口側部位が隙間のある十字状等に変形収縮した状態で保持されることがあり、このようなトンネリング現象が発生すると弁機能が喪失する不都合がある。
【００２７】
そのため、従来では、流路の流出口側部位での開口面積を、流路の流入口側部位での開口面積よりも小さくして、開口した流出口側部位が流路の負圧によって瞬時に収縮する際のトンネリング現象の発生を抑制しているが、内部空間内の気体の排出に大きな労力と手間を要する不都合があった。
【００２８】
そこで、上述の如く、流路の流出口側部位を流路幅方向で複数の分割流路部分に分岐形成することにより、気体排出時における各分割流路部分の開口面積を、流路の流入口側部位での開口面積よりも小さくすることができるので、開口した各分割流路部分が流路の負圧によって瞬時に収縮する際のトンネリング現象の発生を抑制することができる。
それでいて、複数の分割流路部分の開口面積の合計が流路の流出口側での総開口面積となるので、内部空間内の気体を少ない労力でスムーズに排出することができる。
【００２９】
本発明による第６の特徴構成は、前記第５の特徴構成を備えた収納袋において、前記複数の分割流路部分における合計の開口面積が、前記流路における流入口側部位の開口面積と略同一又はそれよりも大に構成されている点にある。
【００３０】
上記構成によれば、開口した各分割流路部分が流路の負圧によって瞬時に収縮する際のトンネリング現象の発生を抑制しながら、両主フィルムの内部空間内の気体をより少ない労力でスムーズに排出することができる。
【００３１】
本発明による第７の特徴構成は、前記第４〜６の特徴構成のいずれか１つを備えた収納袋において、前記両弁構成フィルムにおける前記内部空間に臨む内側端縁部が、前記内部空間側に最も近接位置する前記熱融着部よりも前記内部空間側に突出配置されているとともに、前記内部空間側に最も近接位置する前記熱融着部の複数箇所には、前記内部空間側にのみ開口する非熱融着部が形成されている点にある。
【００３２】
上記構成によれば、自己粘着性のある柔軟な両弁構成フィルムの内側端縁部が、熱融着部よりも内部空間側に突出して自由端状態にあるため、両弁構成フィルムの内側端縁部同士の密着によってフィルム弁の密閉性を高めることができる。
それでいて、例えば、収納袋を押圧操作して内部空間内の気体を外部空間に排出するとき、両主フィルムが内部空間側に最も近接位置する熱融着部を略起点にして両弁構成フィルムの内側端縁部から離間する側に広がり、且つ、主フィルムと弁構成フィルムとを固着している内部空間側の熱融着部の複数箇所に形成されている非熱融着部内に気体が侵入して両主フィルムの非熱融着部に対応する部位が膨張変形するため、この膨張変形に引っ張られて両弁構成フィルムの内側端縁部が波状に変形し、両弁構成フィルムの内側端縁部間に隙間が発生する。この隙間を通して気体が流路に流入し、流路が全開となるため、両主フィルムの内部空間内の気体を外部空間にスムーズに排出することができる。
【００３３】
本発明による第８の特徴構成は、前記第４〜７の特徴構成のいずれか１つを備えた収納袋において、前記両弁構成フィルム間の流路幅方向に沿った複数箇所には、前記流路及び前記残余空間部が形成され、前記複数の流路が前記残余空間部を経由して連通形成されている点にある。
【００３４】
上記構成によれば、例えば、収納袋を押圧操作して内部空間内の気体を外部空間に排出する際、複数の流路に対する気体の流入分布にばらつきがある場合でも、流入量の多い流路から残余空間部を経由して流入量の少ない流路に分配することができるので、内部空間内の気体を外部空間にスムーズに排出することができる。
【００３５】
本発明による第９の特徴構成は、第４特徴構成〜第８特徴構成のいずれか１つに記載の収納袋に用いられる前記フィルム弁であって、
前記両弁構成フィルム間の流路幅方向の複数箇所には、前記流路及び前記残余空間部が形成され、
前記両弁構成フィルムの少なくとも一方の対向面における前記各流路の形成相当箇所の全域には、前記両弁構成フィルム同士の熱融着を阻止する熱融着阻害層が形成され、
前記両弁構成フィルムは、前記各流路の流路軸線方向の複数個所を通過する状態で前記両弁構成フィルムを横断し、且つ、前記両弁構成フィルム間における前記複数の流路以外の残余空間部を気密状態で区画する複数の熱融着部にて固着され、前記各流路における前記熱融着部の横断相当箇所の非熱融着部分が流路口に構成され、前記複数の流路は、前記残余空間部を経由して連通形成されている点にある。
【００３６】
上記構成によれば、重ね合わされた両弁構成フィルムを、流路を横断する熱融着部で固着するだけで、流路における熱融着部の横断相当箇所を流路口とするフィルム弁を製作することができる。
それ故に、従来のように、重ね合わされた両弁構成フィルムを、それの長手方向の複数箇所に配置される各流路の幅方向両側縁に沿って、両弁構成フィルム間における各流路と当該流路以外の残余空間部とを非通気状態に区画形成する熱融着部により一体的に固着する場合に比較して、フィルム弁の生産性の向上と製作コストの低廉化とを図ることができ、しかも、ヒートシール装置の簡素化も同時に達成することができる。
【図面の簡単な説明】
【００３７】
【図１】第１実施形態の弁構造付き収納袋の斜視図
【図２】第１実施形態の弁構造付き収納袋の分解斜視図
【図３】第１実施形態の弁構造付き収納袋の要部の正面図
【図４】図３のＩＶ−ＩＶ線での密封時と脱気時の要部の拡大断面図
【図５】図３のＶ−Ｖ線での密封時と脱気時の要部の拡大断面図
【図６】図３のＶＩ−ＶＩ線での密封時と脱気時の要部の拡大断面図
【図７】図３のＶＩＩ−ＶＩＩ線での密封時と脱気時の要部の拡大断面図
【図８】第１実施形態の弁構造付き収納袋の密封時の要部の縦断斜視図
【図９】第１実施形態の弁構造付き収納袋の脱気開始時の要部の縦断斜視図
【図１０】第１実施形態のフィルム弁の製作概要図
【図１１】第２実施形態の弁構造付き収納袋の要部の正面図
【図１２】第３実施形態の弁構造付き収納袋の要部の正面図
【図１３】第４実施形態のフィルム弁の正面図
【図１４】第４実施形態のフィルム弁を用いた収納袋の分解斜視図
【発明を実施するための形態】
【００３８】
〔第１実施形態〕
図１は、衣服や毛布等の圧縮可能な柔軟性のある被収納物Ａを圧縮状態で収納保管する弁構造付きの収納袋Ｂを示す。この収納袋Ｂは、矩形状に形成された二枚の柔軟性及び熱融着性（ヒートシール性）を備えた袋構成用の合成樹脂製（例えば、ポリエチレン製）の主フィルム（樹脂材の一例）１が重ね合わされ、この重合状態にある両主フィルム１の対向面間には、被収納物Ａを収納する内部空間２が形成され、両主フィルム１の対向面間の上辺縁部には、内部空間２に対して被収納物Ａを出し入れするための開閉可能な出入口部３が形成されている。
【００３９】
両主フィルム１の出入口部３には、図１、図２に示すように、当該出入口部３を密閉可能な密閉開閉手段の一例である熱融着可能な合成樹脂製（例えば、ポリエチレン製）の密閉用チャック４が熱融着（ヒートシール）により固着されている。
この密閉用チャック４には、二条の凸状の雄形嵌合部４ａを備えた熱融着可能な合成樹脂製の第１テープ体４Ａと、当該第１テープ体４Ａの両雄形嵌合部４ａに対して脱着自在に気密状態で嵌合する二条の凹状の雌形嵌合部４ｂを備えた熱融着可能な合成樹脂製の第２テープ体４Ｂとが備えられている。
【００４０】
密閉用チャック４の第１テープ体４Ａ及び第２テープ体４Ｂの各長さＬ１は、両主フィルム１の横幅Ｗ１と同一に構成され、一方の第１テープ体４Ａの上辺縁部及び下辺縁部は、両主フィルム１の出入口部３における対向面の一方に対してそれの横幅全域に亘る細帯状の熱融着部（ヒートシール部）Ｈａにより気密状態で固着されている。
また、他方の第２テープ体４Ｂの上辺縁部及び下辺縁部も、両主フィルム１の出入口部３における対向面の他方に対してそれの横幅全域に亘る細帯状の熱融着部（ヒートシール部）Ｈａにより気密状態で固着されている。
【００４１】
両主フィルム１における内部空間２の周縁部のうち、横幅方向両側の側辺縁部同士は、それの縦幅全域に亘る細帯状の熱融着部（ヒートシール部）Ｈｂにより気密状態で固着されている。この帯状の熱融着部Ｈｂは、図１、図３において網代模様で表示している。
【００４２】
そして、図１〜図９に示すように、両主フィルム１における内部空間２の周縁部のうち、出入口部３以外の弁取付け箇所、詳しくは、出入口部３と縦幅方向で相対向する下辺（底辺）側縁部の弁取付け箇所には、内部空間２と外部空間とを連通する排気用（脱気用）の開閉可能な流路（通気路）５を形成する熱融着性（ヒートシール性）の合成樹脂製（例えば、ポリエチレン製）のフィルム弁Ｖが、熱融着（ヒートシール）により気密状態で固着されている。
【００４３】
フィルム弁Ｖは、両主フィルム１よりも柔軟で自己粘着性及び熱融着性のある一対の帯状の弁構成フィルム６から構成され、重ね合わされた両弁構成フィルム６の対向面間に形成される前記流路５を、両弁構成フィルム６の対向面における流路形成箇所同士の密着によって気密状態で閉塞するように構成されている。
【００４４】
両弁構成フィルム６間に形成される流路５は一つ又は複数のいずれでも良いが、当該実施形態においては、主フィルム１の横幅方向（流路幅方向）に所定間隔を隔てた六箇所に流路５が形成されている。
また、各流路５は、図３、図８に示すように、両弁構成フィルム６における内部空間２側の内側端縁部６ａから流路軸線方向中央側の特定位置までは幅広流路部５Ａに構成され、両弁構成フィルム６における外部空間側の外側端縁部から流路軸線方向中央側の特定位置までは幅狭流路部５Ｂに構成されている。
【００４５】
両弁構成フィルム６の対向面の一方における流路形成相当箇所の全域には、図２、図３に示すように、両弁構成フィルム６の対向面における流路形成箇所同士の熱融着を阻止するための熱融着阻害層７を構成する弱粘着性の透明又は有色の耐熱性塗料（耐熱性インク、シリコンオイル等）が印刷されている。この弱粘着性の耐熱性塗料が印刷された流路形成相当箇所の全域は、図１〜図３、図８、図９においてグレー色の点模様で表示している。
この熱融着阻害層７の存在により、熱融着（ヒートシール）によって流路５自体が遮断されることを確実に防止することができる。しかも、熱融着阻害層７の表面が弱粘着性に構成されているので、フィルム弁Ｖとしての開閉機能を維持しながら、熱融着阻害層７の形成部位での両弁構成フィルム６の密着性の低下を抑制して、フィルム弁Ｖの密閉性（気密性）を高めることができる。
【００４６】
両弁構成フィルム６は、図２、図３に示すように、両主フィルム１の横幅Ｗ１と同一寸法の長さＬ２に構成され、両主フィルム１間の下辺側縁部の弁取付け箇所に重合配置されている。
この重合配置された両主フィルム１と両弁構成フィルム６とは、各流路５における流路軸線方向の二個所を通過する状態で両主フィルム１の横幅全域を横断し、且つ、両弁構成フィルム６の対向面間における流路５以外の残余空間部８と内部空間２との間、及び、残余空間部８と外部空間との間を夫々封止状態（気密状態）で区画する二本の熱融着部（ヒートシール部）Ｈｃ、Ｈｄにより固着されている。
この熱融着部Ｈｃ、Ｈｄも、図１、図３において網代模様で表示している。
【００４７】
両弁構成フィルム６の内部空間２側に最も近接位置する内方側の熱融着部Ｈｃは、流路５の幅広流路部５Ａの端部近傍位置を横断し、外部空間側に最も近接位置する外方側の熱融着部Ｈｄは、流路５の幅狭流路部５Ｂにおける幅広流路部５Ａ側に片寄った中間位置を横断する。
【００４８】
そして、図３、図４、図８に示すように、熱融着阻害層７の存在により、両弁構成フィルム６間の各流路５における二本の熱融着部Ｈｃ、Ｈｄに対応する横断部位のうち、内方側の熱融着部Ｈｃの横断部位の非熱融着部分が内方側の流入口（流路口）５ａになり、外方側の熱融着部Ｈｄの横断部位の非熱融着部分が外方側の流出口（流路口）５ｂになる。
【００４９】
さらに、図６、図８に示すように、両弁構成フィルム６の対向面の流路形成相当箇所における流路幅方向の両流路輪郭側縁部で、且つ、二本の熱融着部Ｈｃ、Ｈｄ間に位置する両流路輪郭側縁部分５ｃは、熱融着（ヒートシール）されていない非接着部分であり、この非接着部分である流路輪郭側縁部分５ｃにおいて、二本の熱融着部Ｈｃ，Ｈｄ間に位置する両弁構成フィルム６間の残余空間部８と流路５とが連通状態にある。
【００５０】
当該実施形態においては、隣接する流路５間に位置する幅広の五つの残余空間部８と、主フィルム１の横幅方向最外側の流路５の外方側に位置する幅狭な二つの残余空間部８とからなり、各流路５がそれの両側に位置する残余空間部８と連通形成されている。換言すれば、全ての流路５が残余空間部８を経由して連通形成されている。
【００５１】
そして、例えば、両主フィルム１間の内部空間２内に被収納物Ａを収納し、且つ、出入口部３の密閉用チャック４を閉止操作してある収納袋Ｂを押圧操作すると、両主フィルム１間の内部空間２内の気体（空気）が、両弁構成フィルム６間の各流路５の内方側の流入口５ａを押し広げながら流入し、各流路５内に流入した一部の気体は各残余空間部８内に流入するものの、気体の主流は各流路５の外方側の流出口５ｂから外部空間に排出される。
その後、両弁構成フィルム６間の各流路５内及び各残余空間部８内の気体が外部空間に排出され、且つ、両主フィルム１間の内部空間２内が負圧になると、両弁構成フィルム６の対向面における流路形成部位同士が密着して各流路５が気密状態で閉塞される。つまり、二本の熱融着部Ｈｃ、Ｈｄのヒートシールが施されることによって初めて各流路５を開閉する弁機能として働く。
【００５２】
それ故に、両弁構成フィルム６単体では弁機能を発揮しないが、両弁構成フィルム６と両主フィルム１とを上述の如く重合配置して熱融着するだけで所定の弁機能を備えた収納袋Ｂを製作することができるから、収納袋Ｂの生産性の向上と製作コストの低廉化とを図ることができる。
【００５３】
さらに、収納袋Ｂを押圧操作して内部空間２内の気体（空気）を外部空間に排出する際、複数の流路５に対する気体の流入分布にばらつきがある場合でも、流入量の多い流路５から残余空間部８を経由して流入量の少ない流路５に分配することができるので、内部空間２内の気体を外部空間にスムーズに排出することができる。
【００５４】
また、図８、図９に示すように、両弁構成フィルム６における内部空間２に臨む内側端縁部６ａが、内部空間２側に最も近接位置する内方側の熱融着部Ｈｃよりも内部空間２側に突出配置されているとともに、内方側の熱融着部Ｈｃの長手方向の複数箇所には、内部空間２側にのみ開口する凹状の非熱融着部９が形成されている。
【００５５】
そして、自己粘着性のある柔軟な両弁構成フィルム６の内側端縁部６ａが、内方側の熱融着部Ｈｃよりも内部空間２側に突出する自由端状態にあるため、両弁構成フィルム６の内側端縁部６ａ同士の密着によってフィルム弁Ｖの密閉性を高めることができる。
【００５６】
それでいて、収納袋Ｂを押圧操作して内部空間２内の気体を外部空間に排出するとき、両主フィルム１が内方側の熱融着部Ｈｃを略起点にして両弁構成フィルム６の内側端縁部６ａから離間する側に広がり、且つ、主フィルム１と弁構成フィルム６とを固着している内方側の熱融着部Ｈｃの複数箇所に形成されている非熱融着部９内に気体が侵入して両主フィルム１の非熱融着部９に対応する部位が膨張変形する。
この膨張変形に引っ張られて両弁構成フィルム６の内側端縁部６ａが波状に変形し、両弁構成フィルム６の内側端縁部６ａ間に隙間が発生する。この隙間を通して気体が流路５に流入し、流路５が全開となるため、両主フィルム１の内部空間２内の気体を外部空間にスムーズに排出することができる。
【００５７】
尚、図１０は、フィルム弁Ｖの製作ラインの一例を示す。この製作ラインでは、両弁構成フィルム６の流路軸線長さｈの複数倍（当該実施形態では８倍）に相当する幅広の二枚の長尺フィルム１１，１２を使用する。
そして、一方の長尺フィルム１１を連続搬送しながら、それの上面における８列の各流路形成相当箇所に、熱融着阻害層７を構成する弱粘着性の耐熱性塗料を、長尺フィルム１１の幅方向に連続する状態で印刷するとともに、搬送方向で隣接する熱融着阻害層７の所定数（当該実施形態では三つ）おきに切断位置検出用のセンサマーク１３を印刷してある。
熱融着阻害層７及びセンサマーク１３が印刷された一方の長尺フィルム１１の上面に、他方の長尺フィルム１２を連続搬送しながら重ね合わせ、重ね合わされた二枚の長尺フィルム１１，１２を、フィルム弁Ｖの流路軸線長さｈ単位で搬送方向に沿って切断分離し、フィルム弁Ｖが連続する複数（当該実施形態では８つ）の弁構成用連続フィルム１４を製作する。
【００５８】
上述の実施形態では、収納袋Ｂの内部空間２内の気体を外部空間に排出するにあたって、収納袋Ｂを外面から押圧操作する排気方法を採用したが、両弁構成フィルム６間の流路５に吸気ポンプ等の脱気装置に接続されている脱気ノズルを外部空間から挿入して、収納袋Ｂの内部空間２内の気体を外部空間に排出する排気方法を採用してもよい。
【００５９】
また、上述の実施形態では、両主フィルム１の出入口部３を開閉する密閉開閉手段として、両主フィルム１の出入口部３に熱融着可能な密閉用チャック４を採用したが、スライダーを備えた密閉用チャックを採用してもよく、さらに、両主フィルム１の出入口部３を挾持して密封する挾持具を採用してもよい。
【００６０】
さらに、上述の実施形態では、収納袋Ｂを構成する主フィルム１及び弁構成フィルム６を、ポリエチレン、ポリプロピレン、ナイロン等の熱硬化性樹脂の単層の合成樹脂製フィルムから構成したが、二層以上のフィルム基材をラミネートしてなるラミネートフィルムから構成してもよい。
【００６１】
〔第２実施形態〕
図１１は、収納袋Ｂの弁構造の別の実施形態を示す。この弁構造では、両弁構成フィルム６の対向面間に形成される流路５における流出口側部位が、流路幅方向で複数（当該実施形態では三つ）の分割幅狭流路部５Ｅに分岐形成されているとともに、複数の分割幅狭流路部５Ｅにおける合計の開口面積が、流路５における流入口側部位の幅広流路部５Ｄの開口面積と略同一又はそれよりも大に構成されている。
【００６２】
当該実施形態においても、上述の第１実施形態と同様に、両弁構成フィルム６の対向面の一方における流路形成相当箇所の全域には、両弁構成フィルム６の対向面における流路形成箇所同士の熱融着を阻止するための熱融着阻害層７を構成する弱粘着性の耐熱性塗料が印刷されている。
図１１においては、弱粘着性の耐熱性塗料が印刷された流路形成相当箇所の全域をグレー色の点模様で表示している。
【００６３】
両弁構成フィルム６は、両主フィルム１間の下辺側縁部の弁取付け箇所に重合配置され、この重合配置された両主フィルム１と両弁構成フィルム６とは、各流路５における流路軸線方向の二個所を通過する状態で両主フィルム１の横幅全域を横断し、且つ、両弁構成フィルム６の対向面間における流路５以外の残余空間部８と内部空間２との間、及び、残余空間部８と外部空間との間を夫々封止状態（気密状態）で区画する二本の熱融着部（ヒートシール部）Ｈｃ、Ｈｄにより固着されている。
この熱融着部Ｈｃ、Ｈｄは、図１１において網代模様で表示している。
【００６４】
そして、熱融着阻害層７の存在により、両弁構成フィルム６間の各流路５における二本の熱融着部Ｈｃ、Ｈｄに対応する横断部位のうち、流入口側部位の幅広流路部５Ｄを横断する熱融着部Ｈｃの横断部位の非熱融着部分が内方側の流入口（流路口）５ａになり、流出口側部位の複数の分割幅狭流路部５Ｅを横断する熱融着部Ｈｄの横断部位の非熱融着部分が外方側の複数の流出口（流路口）５ｂになる。
【００６５】
上述の如く、流路５の流出口側部位を流路幅方向で複数の分割幅狭流路部５Ｅに分岐形成することにより、気体排出時における複数の分割幅狭流路部５Ｅの各々の開口面積を、流路５の流入口側部位の単一の幅広流路部５Ｄでの開口面積よりも小さくすることができるので、開口した各分割幅狭流路部５Ｅが流路５内の負圧によって瞬時に収縮する際のトンネリング現象の発生を抑制することができる。
それでいて、複数の分割幅狭流路部５Ｅの開口面積の合計が、流路５における流入口側部位の幅広流路部５Ｄの開口面積と略同一又はそれよりも大に構成されているので、内部空間２内の気体を少ない労力でスムーズに排出することができる。
【００６６】
また、両主フィルム１の横幅寸法（収納袋Ｂの大きさ）や両弁構成フィルム６間に形成される流路５の大きさや形成ピッチ等によっては、図１１に示すように、流路５の一部が、両主フィルム１の横幅方向両側の側辺縁部同士を固着する帯状の熱融着部（網代模様で表示している）Ｈｂに重合配置される場合がある。
これは、ロール状に巻き取られた長尺な両主フィルム１と両弁構成フィルム６とを連続搬送しながら幅の異なる複数種類の収納袋Ｂを製造する場合に発生する。
このとき、両弁構成フィルム６の対向面の少なくとも一方における流路形成相当箇所の全域に形成されている熱融着阻害層７によって、最側辺縁部側の流路５と重合する側辺縁部の熱融着部Ｈｂにおける両弁構成フィルム６間の重合箇所が非接着状態になり、両主フィルム１間の内部空間２と外部空間とが非接着部分を経由して短絡的に連通して弁機能が喪失する不都合がある。
この場合には、両主フィルム１及び両弁構成フィルム６に対して、それの下辺縁部から弁機能を備えた中央側の流路５と弁機能のない最側辺縁部側の流路５との間を通る縦方向熱融着部分Ｈｅａと、弁機能のない最側辺縁部側の流路５の上方側を通して側辺縁部の熱融着部Ｈｂに達する横方向熱融着部分Ｈｅｂとからなる熱融着部（ヒートシール部）Ｈｅを施す。
この熱融着部Ｈｅの縦方向熱融着部分Ｈｅａと側辺縁部の熱融着部Ｈｂとの間隔Ｗ２は、流路５の最大幅Ｗ３よりも大で、且つ、側辺縁部の熱融着部Ｈｂと中央側の流路５における側辺縁部側の側縁までの間隔Ｗ４よりも小に構成されている。
尚、上述の第２実施形態において、重合配置された両主フィルム１と両弁構成フィルム６とを二本以上の熱融着部（ヒートシール部）で固着するとき、最も流出口側に位置する熱融着部を両主フィルム１の下辺縁部に沿って配置してもよい。
尚、その他の構成は、第１実施形態で説明した構成と同一であるから、同一の構成箇所には、第１実施形態と同一の番号を付記してそれの説明は省略する。
【００６７】
〔第３実施形態〕
図１２は、上述の第２実施形態の収納袋Ｂの弁構造の改良を示す。
図１１に示す収納袋Ｂの弁構造では、流路５の複数の分割幅狭流路部５Ｅが両主フィルム１の側辺と平行姿勢にあるため、上述のように、流路５の一部が、両主フィルム１の横幅方向両側の側辺縁部同士を固着する帯状の熱融着部Ｈｂに重合配置された場合では、両主フィルム１の側辺縁部における非接着部分の比較的広い範囲がめくれ上がることが考えられ、機能上問題がないものの完成された収納袋Ｂの外観面での商品価値を損なう可能性がある。
これの対策として、図１２に示す第３実施形態の収納袋Ｂの弁構造では、側辺縁部の熱融着部Ｈｂを、二本の熱融着部Ｈｃ、Ｈｄよりも広幅に構成するとともに、流入口側部位の幅広流路部５Ｄに対して、流出口側部位の複数の分割幅狭流路部５Ｅを設定角度だけ傾斜させて形成してある。これにより、両主フィルム１の横幅方向両側の側辺縁部同士を固着する帯状の熱融着部Ｈｂにより、複数の分割幅狭流路部５Ｅの隣接間部位等が熱融着されるため、両主フィルム１の側辺縁部における非接着部分が分散され、両主フィルム１の側辺縁部における非接着部分がめくり上がることを抑制することができる。
【００６８】
また、図１２に示す収納袋Ｂの弁構造では、熱融着部（ヒートシール部）Ｈｅを、最側辺縁部側の流路５の上方側を通る横方向熱融着部分Ｈｅｂと、最側辺縁部側の流路５の複数の分割幅狭流路部５Ｅのうち、横幅方向の最内方側に位置する分割幅狭流路部５Ｅの幅内を同じ傾斜角度で通る縦方向熱融着部分Ｈｅａとからなる熱融着部（ヒートシール部）Ｈｅを施す。
この熱融着部Ｈｅの縦方向熱融着部分Ｈｅａと側辺縁部の熱融着部Ｈｂとの間隔Ｗ５は、流路５の最大幅Ｗ６よりも小で、且つ、最側辺縁部側の分割幅狭流路部５Ｅの流出口５ｂの外側縁から幅広流路部５Ｄの横幅方向中央側の内側縁までの間隔Ｗ７よりも大に構成されている。
この場合は、図１２に示す配置関係において、両主フィルム１間の内部空間２と外部空間とが非接着部分を経由して短絡的に連通することを回避しながらも、収納袋Ｂの内部空間２内の気体は、最側辺縁部側の流路５の幅広流路部５Ｄにおける流入口側端縁の右側角部から流入可能であるため、最側辺縁部側の流路５の弁機能を活かすことができる。
【００６９】
尚、図１２においては、両主フィルム１の横幅方向の左側の熱融着部Ｈｅについて説明し、横幅方向の右側の熱融着部Ｈｅは説明を省略したが、この右側の熱融着部Ｈｅは、第２実施形態と同様に、左側の熱融着部Ｈｅと左右対称形に表れる。
また、第３実施形態におけるその他の構成は、第１実施形態及び第２実施形態で説明した構成と同一であるから、同一の構成箇所には、第１実施形態及び第２実施形態と同一の番号を付記してそれの説明は省略する。
【００７０】
〔第４実施形態〕
図１３は、重ね合わされた自己粘着性のある柔軟な一対の弁構成フィルム６が、それの対向面間に流路５を形成する状態で熱融着されているフィルム弁Ｖの別実施形態を示す。
フィルム弁Ｖの流路５は、両弁構成フィルム６の対向面における流路形成箇所同士の密着によって気密状態で閉塞するように構成されている。
両弁構成フィルム６間に形成される流路５は一つ又は複数のいずれでも良いが、当該実施形態においては、主フィルム１の横幅方向（流路幅方向）に所定間隔を隔てた複数箇所に流路５が形成されている。
【００７１】
各流路５は、両弁構成フィルム６における内部空間２側の内側端縁部６ａから流路軸線方向中央側の特定位置までは幅広流路部５Ａに構成され、両弁構成フィルム６における外部空間側の外側端縁部から流路軸線方向中央側の特定位置までは幅狭流路部５Ｂに構成されている。
【００７２】
両弁構成フィルム６の対向面の一方における流路形成相当箇所の全域には、両弁構成フィルム６の対向面における流路形成箇所同士の熱融着を阻止するための熱融着阻害層７を構成する弱粘着性の透明又は有色の耐熱性塗料が印刷されている。
この熱融着阻害層７の存在により、熱融着（ヒートシール）によって流路５自体が遮断されることを確実に防止することができる。しかも、熱融着阻害層７の表面が弱粘着性に構成されているので、フィルム弁Ｖとしての開閉機能を維持しながら、熱融着阻害層７の形成部位での両弁構成フィルム６の密着性の低下を抑制して、フィルム弁Ｖの密閉性（気密性）を高めることができる。
【００７３】
両弁構成フィルム６は、流路５を横断し、且つ、両弁構成フィルム６間における流路５以外の残余空間部８を気密状態で区画する熱融着部Ｈｄにて固着され、流路５における熱融着部Ｈｄの横断相当箇所が流出口５ｂに構成されている。
【００７４】
そして、上述の如く構成されたフィルム弁Ｖを用いて収納袋Ｂを製作するに、図１４に示すように、内部空間２を形成する袋構成用の両主フィルム（樹脂材の一例）１間の下辺（底辺）側縁部の弁取付け箇所にフィルム弁Ｖを重合配置する。
次に、第１実施形態の図３〜図８を参照して説明すると、この重合配置された両主フィルム１と両弁構成フィルム６とを、各流路５におけるフィルム弁Ｖの熱融着部Ｈｄよりも内部空間２側に偏倚した部位を通過する状態で両主フィルム１の横幅全域を横断し、且つ、両弁構成フィルム６の対向面間における流路５以外の残余空間部８と内部空間２との間を封止状態（気密状態）で区画する一本の熱融着部Ｈｃにより固着されている。
【００７５】
両弁構成フィルム６の内部空間２側に最も近接位置する内方側の熱融着部Ｈｃは、流路５の幅広流路部５Ａの端部近傍位置を横断し、外部空間側に最も近接位置する外方側の熱融着部Ｈｄは、流路５の幅狭流路部５Ｂにおける幅広流路部５Ａ側に片寄った中間位置を横断する。
【００７６】
そして、熱融着阻害層７の存在により、両弁構成フィルム６間の各流路５における二本の熱融着部Ｈｃ、Ｈｄに対応する横断部位のうち、内方側の熱融着部Ｈｃの横断部位の非熱融着部分が内方側の流入口（流路口）５ａになり、フィルム弁Ｖを構成する外方側の熱融着部Ｈｄの横断部位の非熱融着部分が外方側の流出口（流路口）５ｂになる。
尚、第１実施形態で説明した構成と同一の構成には、第１実施形態と同一の番号を付記してそれの説明は省略する。
【００７７】
〔その他の実施形態〕
（１）上述の各実施形態では、両弁構成フィルム６の対向面の一方における流路形成相当箇所の全域に熱融着阻害層７を形成したが、両弁構成フィルム６の対向面の両方における流路形成相当箇所の全域に熱融着阻害層７を形成してもよい。
また、両弁構成フィルム６の対向面の少なくとも一方における流路形成相当箇所の熱融着部Ｈｃ，Ｈｄに対応する横断部位にのみ熱融着阻害層７を形成してもよい。
【００７８】
（２）上述の各実施形態では、重合配置された両主フィルム１と両弁構成フィルム６とを、流路５における流路軸線方向の二個所を横断する二本の熱融着部（ヒートシール部）Ｈｃ、Ｈｄにより固着したが、流路５における流路軸線方向の三箇所以上を横断する三本以上の熱融着部により固着してもよく、さらに、流路５における流路軸線方向の一箇所を横断する一本の熱融着部により固着してもよい。
尚、重合配置された両主フィルム１と両弁構成フィルム６とを一本の熱融着部で固着する場合には、熱融着部の幅を複数本の場合よりも幅広に設定する。
【００７９】
（３）上述の各実施形態では、出入口部３を備えた収納袋Ｂについて説明したが、これに限定されるものではなく、例えば、内部空間２を構成する主フィルム１等の樹脂材を容器状に構成し、この容器状の樹脂材の口部となる弁取付け箇所に、内部空間２と外部空間とを連通する開閉可能な流路を形成してある熱融着性のフィルム弁Ｖを熱融着により固着してもよい。
この場合、フィルム弁Ｖの流路５から内部空間２内に飲料や醤油等の液体を注入したり、或いは、風船用ヘリウムガス等の気体を注入することができる。
【００８０】
（４）上述の各実施形態では、熱融着阻害層７を耐熱性塗料から構成したが、シリコンフィルム等の非熱融着性材料又は耐熱性材料で構成してもよい。
【符号の説明】
【００８１】
１      樹脂材（主フィルム）
２      内部空間
３      出入口部
５      流路
５Ｄ    流入口側部位
５Ｅ    流出口側部位
５ｅ    分割流路部分
６      弁構成フィルム
６ａ    内側端縁部
７      熱融着阻害層
８      残余空間部
９      非熱融着部
Ｈｃ    熱融着部
Ｈｄ    熱融着部
Ｖ      フィルム弁
【図１】
0006664901.tif 000002
【図２】
0006664901.tif 000003
【図３】
0006664901.tif 000004
【図４】
0006664901.tif 000005
【図５】
0006664901.tif 000006
【図６】
0006664901.tif 000007
【図７】
0006664901.tif 000008
【図８】
0006664901.tif 000009
【図９】
0006664901.tif 000010
【図１０】
0006664901.tif 000011
【図１１】
0006664901.tif 000012
【図１２】
0006664901.tif 000013
【図１３】
0006664901.tif 000014
【図１４】
0006664901.tif 000015